(57)【要約】      （修正有）【課題】ヘッド本体に弾性変形部を設けてヘッド本体の弾性変形を高めると共に、弾性変形部にはその他の部位の肉厚より相対的に薄い肉厚が形成されるため、ヘッド本体の重量を低く抑えることができる。【解決手段】ヘッド本体１、弾性変形部２、フェース板３と重りゾーン４が含まれる。弾性変形部２にはその他の部位の肉厚より相対的に薄い肉厚が形成され、弾性変形部２はヘッド本体１のクラウン部に位置してヘッド本体１のトー側壁部１２とヒール側壁部１４との間に連続して延伸するように形成される。弾性変形部２はフェース板３に対応して延伸することにより、弾性変形部２はフェース板３の打球の応力を直接吸収することができる。重りゾーン４はヘッド本体１の特定の位置に適当に設置され、重りゾーン４によりヘッド本体１と弾性変形部２の重心位置と慣性モーメントを調整することができるように構成されている。【選択図】図１
0003120579.tif 000002
【実用新案登録請求の範囲】
【請求項１】
ヘッド本体（１）、弾性変形部（２）およびフェース板（３）により構成される高弾性変形の構造を有するゴルフクラブヘッドであって、ヘッド本体（１）には少なくとも一個の前側部位と一個のクラウン部（１１）が形成されると共に、ヘッド本体（１）には内表面と外表面が形成され、弾性変形部（２）は少なくとも選択的にヘッド本体（１）のクラウン部（１１）に凹むように配置され、弾性変形部（２）はヘッド本体（１）の内表面または外表面の内の一つに配置され、弾性変形部（２）にはその他の部位の肉厚より相対的に薄い肉厚が形成され、フェース板（３）はヘッド本体（１）の前側部位に配置され、さらに弾性変形部（２）とフェース板（３）との間に予定された距離を隔てるように形成されることを特徴とする高弾性変形の構造を有するゴルフクラブヘッド。
【請求項２】
ヘッド本体（１）には他にトー側壁部（１２）とヒール側壁部（１４）が含まれ、弾性変形部（２）はヘッド本体（１）のトー側壁部（１２）とヒール側壁部（１４）との間に連続して延伸するように形成されることを特徴とする請求項１記載の高弾性変形の構造を有するゴルフクラブヘッド。
【請求項３】
他に重りゾーン（４）が含まれ、重りゾーン（４）には重り（４１）が設置され、重りゾーン（４）の配置する位置は弾性変形部（２）の配置する位置に基づいて弾性的かつ選択的に設置することを特徴とする請求項１記載の高弾性変形の構造を有するゴルフクラブヘッド。
【請求項４】
他に重りゾーン（４）が含まれ、重りゾーン（４）には重り（４１）が設置され、重りゾーン（４）の重量の規格は弾性変形部（２）のサイズの規格に基づいて弾性的かつ選択的に設置することを特徴とする請求項１記載の高弾性変形の構造を有するゴルフクラブヘッド。
【請求項５】
ヘッド本体（１）には他にトー側壁部（１２）とヒール側壁部（１４）が含まれ、弾性変形部（２）はヘッド本体（１）のトー側壁部（１２）、クラウン部（１１）とヒール側壁部（１４）に連続して延伸するように形成されることを特徴とする請求項１記載の高弾性変形の構造を有するゴルフクラブヘッド。
【請求項６】
ヘッド本体（１）には他にトー側壁部（１２）、ソール部（１３）とヒール側壁部（１４）が含まれ、弾性変形部（２）はヘッド本体（１）のクラウン部（１１）、トー側壁部（１２）、ソール部（１３）とヒール側壁部（１４）に連続して延伸するように形成されることにより、弾性変形のリング体が形成されることを特徴とする請求項１記載の高弾性変形の構造を有するゴルフクラブヘッド。
【請求項７】
弾性変形部（２）は上記ヘッド本体（１）の内表面に延伸するように形成され、そして上記ヘッド本体（１）の内表面と弾性変形部（２）との間には連接部が形成され、上記連接部は選択的に階段状部（１５）を形成することを特徴とする請求項１記載の高弾性変形の構造を有するゴルフクラブヘッド。
【請求項８】
弾性変形部（２）は上記ヘッド本体（１）の外表面に延伸するように形成され、そして上記ヘッド本体（１）の外表面と弾性変形部（２）との間には連接部が形成され、上記連接部は選択的に階段状部（１５）を形成することを特徴とする請求項１記載の高弾性変形の構造を有するゴルフクラブヘッド。
【請求項９】
弾性変形部（２）は上記ヘッド本体（１）の内表面に延伸するように形成され、そして上記ヘッド本体（１）の内表面と弾性変形部（２）との間には連接部が形成され、上記連接部は選択的に傾斜部（１５’）を形成することを特徴とする請求項１記載の高弾性変形の構造を有するゴルフクラブヘッド。
【請求項１０】
弾性変形部（２）は上記ヘッド本体（１）の外表面に延伸するように形成され、そして上記ヘッド本体（１）の外表面と弾性変形部（２）との間には連接部が形成され、上記連接部は選択的に傾斜部（１５’）を形成することを特徴とする請求項１記載の高弾性変形の構造を有するゴルフクラブヘッド。
【考案の詳細な説明】
【技術分野】
【０００１】
本考案は、高弾性変形の構造を有するゴルフクラブヘッドに関するもので、特にヘッド本体に弾性変形部を設置し、弾性変形部はヘッド本体に連続して延伸するように形成されることにより、高弾性変形の自由度を高めることができるゴルフクラブヘッド構造に係るものである。
【背景技術】
【０００２】
従来のゴルフクラブヘッド構造としては、本体と上蓋部が含まれる。上記本体の前側において一体成形になるようにフェースが形成される。上記フェースの片側からホーゼルが形成され、上記フェースの後側には凹欠口が形成される。上記上蓋部は上記凹欠口に対応して上記本体に結合される。上記本体のソール部にはねじ孔が設けられ、上記ねじ孔に充填部材が固設される。上記上蓋部は炭素繊維の材質により製成され、その後側には少なくとも一個の組立孔が開設され、上記組立孔には少なくとも一個の重りが固設される。上記炭素繊維の材質そのものは比較的高い振動吸収性の効果と材質が軽いとの利点を有するため、ヘッド全体の振動吸収性を高めることができると共に、ゴルフクラブヘッドの全体の体積を増やすのに役立つことができる。また、上記炭素繊維の材質の上蓋部によりゴルフクラブヘッドの上半部の重量を減らすことにより、ゴルフクラブヘッドの全体の重心を相対的に低く下げることができるため、比較的よい制球性を有することができるようにとしたものがある（例えば、特許文献１、２を参照）。
【特許文献１】中華民国第４５０８２２号公報
【特許文献２】アメリカ第２００４／００３４９８６号
【考案の開示】
【考案が解決しようとする課題】
【０００３】
上記のような従来のゴルフクラブヘッド構造においては、実際に使用すると、上記炭素繊維の材質の上蓋部は上記ヘッド本体のフェースの左側、右側と上側に結合されるため、上記上蓋部はゴルフクラブヘッドの左側、右側と上側の弾性変形の能力を提供することができ、そして上記上蓋部と本体との間には連接するための隙間が形成されることにより、最も理想的な弾性変形の能力を提供することができないため、全体の弾性変形の能力を相対的に制限してしまい、さらに打球の弾性回復力を低く下げてしまうという問題点があった。このように、ゴルフクラブヘッドの設計上において、全体の構造の強度を高めるべく、複合式ゴルフクラブヘッドの設計の概念を捨てなければならなくなり、一体成形の設計の概念を新たに考慮し、そしてゴルフクラブヘッドの弾性変形の能力のアップと全体の重量の軽減を図らなければならない。
【０００４】
本考案はこのような問題点に鑑みて考案したものであって、その目的とするところは、ヘッド本体に弾性変形部を設置し、打球時において上記弾性変形部により上記ヘッド本体の弾性変形を高めることができ、さらに上記弾性変形部にはその他の部位の肉厚より相対的に薄い肉厚が形成されるため、上記ヘッド本体の重量を低く抑えることができる。さらに、上記ヘッド本体において薄い肉厚が配置される位置はフェース板とは予定された距離を隔てなければならず、そうでなければ上記弾性変形部により上記ヘッド本体の全体の構造の強度に影響を及ぼしてしまう。
【０００５】
本考案の第一の目的は、ヘッド本体に弾性変形部を設置し、打球時において弾性変形部によりヘッド本体の弾性変形を高めることができるため、弾性回復力を高めることができる高弾性変形の構造を有するゴルフクラブヘッドを提供しようとするものである。
【０００６】
本考案の第二の目的は、ヘッド本体に弾性変形部を設置し、弾性変形部にはその他の部位の肉厚より相対的に薄い肉厚が形成されるため、全体の重量を低く抑えることができる高弾性変形の構造を有するゴルフクラブヘッドを提供しようとするものである。
【０００７】
上記目的を達成するために、本考案による高弾性変形の構造を有するゴルフクラブヘッドは、下記のようになるものである。すなわち、
ヘッド本体、弾性変形部およびフェース板により構成される。ヘッド本体には少なくとも一個の前側部位と一個のクラウン部が形成されると共に、ヘッド本体には内表面と外表面が形成される。弾性変形部は少なくとも選択的にヘッド本体のクラウン部に凹むように配置され、弾性変形部はヘッド本体の内表面または外表面の内の一つに配置され、弾性変形部にはその他の部位の肉厚より相対的に薄い肉厚が形成される。フェース板はヘッド本体の前側部位に配置され、さらに弾性変形部とフェース板との間に予定された距離を隔てるように形成される。
【０００８】
本考案による高弾性変形の構造を有するゴルフクラブヘッドは、ヘッド本体には他にトー側壁部とヒール側壁部が含まれ、弾性変形部はヘッド本体のトー側壁部とヒール側壁部との間に連続して延伸するように形成されることもできる。また、他に重りゾーンが含まれ、重りゾーンには重りが設置され、重りゾーンの配置する位置は弾性変形部の配置する位置に基づいて弾性的かつ選択的に設置することもできる。また、他に重りゾーンが含まれ、重りゾーンには重りが設置され、重りゾーンの重量の規格は弾性変形部のサイズの規格に基づいて弾性的かつ選択的に設置することもできる。また、ヘッド本体には他にトー側壁部とヒール側壁部が含まれ、弾性変形部はヘッド本体のトー側壁部、クラウン部とヒール側壁部に連続して延伸するように形成されることもできる。また、ヘッド本体には他にトー側壁部、ソール部とヒール側壁部が含まれ、弾性変形部はヘッド本体のクラウン部、トー側壁部、ソール部とヒール側壁部に連続して延伸するように形成されることにより、弾性変形のリング体が形成されることもできる。また、弾性変形部は上記ヘッド本体の内表面に延伸するように形成され、そして上記ヘッド本体の内表面と弾性変形部との間には連接部が形成され、上記連接部は選択的に階段状部を形成することもできる。また、弾性変形部は上記ヘッド本体の外表面に延伸するように形成され、そして上記ヘッド本体の外表面と弾性変形部との間には連接部が形成され、上記連接部は選択的に階段状部を形成することもできる。また、弾性変形部は上記ヘッド本体の内表面に延伸するように形成され、そして上記ヘッド本体の内表面と弾性変形部との間には連接部が形成され、上記連接部は選択的に傾斜部を形成することもできる。また、弾性変形部は上記ヘッド本体の外表面に延伸するように形成され、そして上記ヘッド本体の外表面と弾性変形部との間には連接部が形成され、上記連接部は選択的に傾斜部を形成することもできる。
【考案の効果】
【０００９】
本考案の高弾性変形の構造を有するゴルフクラブヘッドによれば、ヘッド本体に弾性変形部を設置し、打球時において弾性変形部によりヘッド本体の弾性変形を高めることができるため、弾性回復力を高めることができるという利点がある。
【００１０】
本考案の高弾性変形の構造を有するゴルフクラブヘッドによれば、ヘッド本体に弾性変形部を設置し、弾性変形部にはその他の部位の肉厚より相対的に薄い肉厚が形成されるため、全体の重量を低く抑えることができるという利点がある。
【考案を実施するための最良の形態】
【００１１】
本考案の実施の形態について、以下、図面を参照して説明する。
【実施例１】
【００１２】
本考案の高弾性変形の構造を有するゴルフクラブヘッドはウッド型ヘッド、アイアン型ヘッドまたはユーティリティー型ヘッド（utility）などのヘッド本体に適用することができるが、本考案は下記においてウッド型ヘッドを例に挙げてゴルフクラブヘッドの高弾性変形の構造を説明し、他のタイプのヘッド本体については再び詳細に記述しない。
【００１３】
図１、２を参照すると、本考案の実施例１の高弾性変形の構造を有するゴルフクラブヘッドにはヘッド本体１、弾性変形部２、フェース板３および重りゾーン４が含まれる。一般として弾性変形部２はヘッド本体１の中間部位に配置され、フェース板３はヘッド本体１の前側部位に配置され、そして重りゾーン４はヘッド本体１の後側部位の配置される。
【００１４】
再び図１を参照すると、ヘッド本体１にはクラウン部１１、トー側壁部１２、ソール部１３とヒール側壁部１４が含まれる。クラウン部１１とソール部１３はそれぞれヘッド本体１の上方と下方に配置され、さらにトー側壁部１２とヒール側壁部１４はヘッド本体１の両側に配置されることにより、ヘッド本体１の殻体を形成する。鋳造する上において、ヘッド本体１の材質は好ましくは比重の高い金属または合金材料から選択することができ、例えばステンレス、炭素鋼、低炭素鋼、合金鋼、マルエージング鋼、フェロ−マンガン−アルミ合金、鋳鉄、ニッケル基合金または構造用鋼などから選択することができる。構造上、ヘッド本体１は一般のゴルフボールが打球時に受けた打球の応力を充分に受けることができ、さらに適当な弾性変形の能力を有するように形成される。
【００１５】
再び図１、２を参照すると、弾性変形の能力を高め、さらに全体の重量を低く抑えるべく、弾性変形部２をヘッド本体１のクラウン部１１に配置させることにより、ヘッド本体１の重心を低く抑えることができる。弾性変形部２にはその他の部位の肉厚より相対的に薄い肉厚が形成され、そしてヘッド本体１のクラウン部１１、トー側壁部１２、ソール部１３とヒール側壁部１４に連続して環設されることにより、弾性変形のリング体を形成する。弾性変形部２の肉厚では一般のゴルフボールが打球時に受けた打球の応力を充分に受けることができ、さらに高弾性変形の能力を提供することができる。製品の設計上、弾性変形部２の肉厚は好ましくは０．８mm以下を維持するように形成される。その他に、弾性変形部２の内表面においても適当な技術を利用して選択的にその他の構造補強装置または振動吸収装置（図示せず）を固設することができる。
【００１６】
再び図２、２Ａを参照すると、弾性変形部２は一体になるようにヘッド本体１の内表面上において凹むように設けられるため、弾性変形部２によりゴルフクラブヘッドの外観に影響を及ぼしてしまうのを避けることができる。その他に、ヘッド本体１の内表面と弾性変形部２との間には必然的に連接部が形成され、上記連接部は好ましくは階段状部１５を形成したり、または上記連接部は選択的に傾斜部１５’を形成したりする。空間的な配置において、ヘッド本体１の前側部位からヘッド本体１の後側部位までの弾性変形部２の縦方向における最大距離は８０mm以下より小さくなるように形成される。その他に、弾性変形部２の薄い肉厚によりゴルフクラブヘッドの全体の重量を軽減することができるため、定められた全体重量の制限の下でゴルフクラブヘッドの全体の体積を相対的に増やすことができ、例えば本考案のウッド型ゴルフクラブヘッドではその体積が約３８０ccから５００ccの間まで増やすことができる。
【００１７】
その他に、ヘッド本体１において弾性変形部２を配置した位置はフェース板３との間には予定された距離を隔てることにより、弾性変形部２によってヘッド本体１の全体の構造の強度に影響を及ぼしてしまうのを避けることができ、さらに充分な弾性回復力を提供することができる。例えば、一旦弾性変形部２とフェース板３との間の距離が小さ過ぎると、弾性変形部２はヘッド本体１の全体の構造の強度を影響したり弱くしたりする。それに反して、一旦弾性変形部２とフェース板３との間の距離が大き過ぎると、弾性変形部２では充分な弾性回復力を提供することができない。
【００１８】
再び図１、２を参照すると、全体の重量をさらに低くするべく、フェース板３の材料はチタン合金、フェロ−マンガン−アルミ合金、アルミ合金とマグネシウム合金などの材料から選択する。フェース板３はヘッド本体１の前側部位に固設され、さらに弾性変形部２はフェース板３に対応するように横方向へ延伸するように形成されることにより、弾性変形部２はフェース板３の打球の応力を直接吸収することができると共に、弾性変形部２により充分な弾性回復力をゴルフボール（図示せず）まで直接提供することができる。
【００１９】
再び図１、２を参照すると、ゴルフクラブヘッドの打球の性能を高めるべく、重りゾーン４はヘッド本体１の後側部位に配置される。重りゾーン４を配置する位置は弾性変形部２を配置する位置に基づいて弾性的かつ選択的に設置することができ、例えばヘッド本体１のトー側壁部１２、ソール部１３またはヒール側壁部１４において打球の習慣に基づいて重りゾーン４の配置する位置を選択することができる。同様に、重りゾーン４には少なくとも一個の重り４１が形成され、重り４１の重量の規格は弾性変形部２のサイズの規格に基づいて弾性的かつ選択的に設置することにより、打球の習慣に基づいて重りゾーン４の重り４１の重量の規格を選択することができる。重り４１によりヘッド本体１および弾性変形部２の重心位置と慣性モーメント（moment of inertia）を調整することができる。
【実施例２】
【００２０】
図３、４を参照すると、本考案の実施例２の高弾性変形の構造を有するゴルフクラブヘッドにはヘッド本体１、弾性変形部２’、フェース板３と重りゾーン４が含まれる。実施例１と比較してみると、実施例２においては弾性変形部２’はヘッド本体１のトー側壁部１２、クラウン部１１とヒール側壁部１４の内表面上だけに連続して延伸するように形成されることにより、ヘッド本体１の弾性変形のゾーンを制限することができるため、ヘッド本体１のソール部１３は相変わらず充分な構造の強度を保有することができるが、弾性変形部２’は相変わらずヘッド本体１のトー側壁部１２とヒール側壁部１４との間に連続して延伸するように形成される。
【実施例３】
【００２１】
図５を参照すると、本考案の実施例３の高弾性変形の構造を有するゴルフクラブヘッドにはヘッド本体１、弾性変形部２”、フェース板３と重りゾーン４が含まれる。実施例１と比較してみると、実施例３においては弾性変形部２”はヘッド本体１のクラウン部１１の内表面上だけに連続して延伸するように形成されることにより、ヘッド本体１の弾性変形のゾーンをさらに制限することができるため、ヘッド本体１のトー側壁部１２、ソール部１３とヒール側壁部１４は相変わらず充分な構造の強度を保有することができるが、弾性変形部２”は相変わらずヘッド本体１のトー側壁部１２とヒール側壁部１４との間に連続して延伸するように形成される。
【実施例４】
【００２２】
図６、６Ａを参照すると、本考案の実施例４の高弾性変形の構造を有するゴルフクラブヘッドにはヘッド本体１、弾性変形部２ａ、フェース板３と重りゾーン４が含まれる。実施例１、２、３と比較してみると、実施例４において弾性変形部２ａは少なくともヘッド本体１のクラウン部１１の外表面上に延伸するように形成され（図５を参照）、好ましくは連続的にヘッド本体１のクラウン部１１、トー側壁部１２とヒール側壁部１４の外表面上に延伸するように形成され（図３、４を参照）、特に連続的にヘッド本体１のクラウン部１１、トー側壁部１２、ソール部１３とヒール側壁部１４の外表面上に延伸するように形成される（図１、２を参照）。ヘッド本体１の外表面と弾性変形部２ａとの間には連接部が形成され、上記連接部は階段状部１５または傾斜部１５’に形成される。これにより、ヘッド本体１の外表面の弾性変形部２ａも同様に弾性変形のリング体を形成するのに用いることができる。弾性変形部２ａの肉厚では一般のゴルフボールが打球時に受けた打球の応力を充分に受けることができ、さらに高弾性変形の能力を提供することができる。また、図１から６に示すように、ヘッド本体１においても同時に内表面または外表面から弾性変形部２、２’、２”、２ａを形成することができる。
【産業上の利用可能性】
【００２３】
上述の如く、従来のゴルフクラブヘッド構造によれば、本体の凹欠口において炭素繊維の材質の上蓋部と結合し、上記上蓋部と本体との間には連接するための隙間が形成されることにより、最も理想的な弾性変形の能力を提供することができないため、全体の弾性変形の能力を相対的に制限してしまい、さらに打球の弾性回復力を低く下げてしまうという問題点があったが、図１に示す本考案の高弾性変形の構造を有するゴルフクラブヘッドによれば、ヘッド本体１には一体成形になるように弾性変形部２が設置され、さらに弾性変形部２とフェース板３との間には予定された距離が隔てられることにより、弾性変形部２によってヘッド本体１の全体の構造の強度に影響を及ぼしてしまうのを避けることができると共に、さらに充分な弾性回復力を提供することができる。
【００２４】
本考案は、その精神及び必須の特徴事項から逸脱することなく他のやり方で実施することができる。従って、本明細書に記載した好ましい実施例は例示的なものであり、限定的なものではない。
【図面の簡単な説明】
【００２５】
【図１】本考案の実施例１の高弾性変形の構造を有するゴルフクラブヘッドの分解斜視図である。
【図２】本考案の実施例１の高弾性変形の構造を有するゴルフクラブヘッドによるヘッド本体の断面図である。
【図２Ａ】本考案の実施例１の高弾性変形の構造を有するゴルフクラブヘッドによるもう一つのヘッド本体の局部拡大図である。
【図３】本考案の実施例２の高弾性変形の構造を有するゴルフクラブヘッドの分解斜視図である。
【図４】本考案の実施例２の高弾性変形の構造を有するゴルフクラブヘッドによるヘッド本体の断面図である。
【図５】本考案の実施例３の高弾性変形の構造を有するゴルフクラブヘッドの分解斜視図である。
【図６】本考案の実施例４の高弾性変形の構造を有するゴルフクラブヘッドによるヘッド本体の断面図である。
【図６Ａ】本考案の実施例４の高弾性変形の構造を有するゴルフクラブヘッドによるもう一つのヘッド本体の局部拡大図である。
【符号の説明】
【００２６】
１    ヘッド本体                    １１    クラウン部
１２    トー側壁部                    １３    ソール部
１４    ヒール側壁部                  １５    階段状部
１５’    傾斜部                        ２    弾性変形部
２’    弾性変形部                    ２”    弾性変形部
２ａ    弾性変形部                    ３    フェース板
４    重りゾーン                    ４１    重り
【図１】
0003120579.tif 000003
【図２】
0003120579.tif 000004
【図２Ａ】
0003120579.tif 000005
【図３】
0003120579.tif 000006
【図４】
0003120579.tif 000007
【図５】
0003120579.tif 000008
【図６】
0003120579.tif 000009
【図６Ａ】
0003120579.tif 000010